(57)【要約】【課題】情報伝達手段および情報伝達システムにおいて、音声，画像等を配信すると伝達情報のサイズが大きくなる。メール等で配信する場合、サーバー等の制限のため送信エラー、他のメールを受信ができない、通信時間がかかる等の問題点を解決すること。【解決手段】伝達情報の一部を抽出加工し、伝達情報サイズを圧縮して伝達情報を伝達するものである。また、全体または詳細な情報を取得する場合は、サーバーにアクセスすることにより確認可能とする。【選択図】    図１
2004200976.tif 000002
【特許請求の範囲】
【請求項１】
音声，画像等をネットワークを介して配信する情報伝達手段であって、
音声，画像等の伝達情報の一部を抽出し、配信する伝達情報を作成することを特徴とする情報伝達手段。
【請求項２】
音声，画像等をネットワークを介して配信する情報伝達手段であって、
伝達情報の抽出タイミングを指定できることを特徴とする情報伝達手段。
【請求項３】
音声，画像等をネットワークを介して配信する情報伝達手段であって、
伝達情報の抽出タイミングを指定間隔で指定できることを特徴とする情報伝達手段。
【請求項４】
音声，画像等をネットワークを介して配信する情報伝達手段であって、
動画の伝達情報抽出タイミングを音声の有無、変化に対応させることを特徴とする情報伝達手段。
【請求項５】
音声，画像等をネットワークを介して配信する情報伝達手段であって、
一定間隔で画像を抽出し、画像の変化値が閾値以上になった場合、抽出タイミングとすることを特徴とする情報伝達手段。
【請求項６】
音声，画像等をネットワークを介して配信する情報伝達手段であって、
画像の変化ポイント抽出手段として測定用の特定ポイントを数点定め、変化量が閾値以上になった場合、抽出タイミングとすることを特徴とする情報伝達手段。
【請求項７】
変化タイミングの抽出精度を上げるため、第１次，第２次・・・第ｎ次観測グループを定め、第１次観測グループの変化量が閾値以上になった場合、次の観測グループの変化量を測定し、この測定作業が指定された観測グループまで達した場合、抽出タイミングとすることを特徴とする請求項６に記載する情報伝達手段。
【請求項８】
音声，画像等をネットワークを介して配信する情報伝達手段であって、
抽出対象となった抽出情報のうち、前抽出情報より一定期間経過しないと抽出対象としないことを特徴とする情報伝達手段。
【請求項９】
音声，画像等をネットワークを介して配信する情報伝達手段であって、
抽出した伝達情報の解像度，サイズ，品質等を下げて伝達情報を作成することを特徴とする情報伝達手段。
【請求項１０】
音声，画像等をネットワークを介した情報伝達システムであって、
伝達情報の一部を抽出し、メール等の伝達手段に添付することにより伝達情報の主旨を伝えることを特徴とする情報伝達システム。
【請求項１１】
音声，画像等をネットワークを介した情報伝達システムであって、
伝達情報に伝達情報のリンク情報を付記することにより、指定ポイントより参照できることを特徴とする情報伝達システム。
【請求項１２】
音声，画像等をネットワークを介した情報伝達システムであって、
抽出データの内容を送信前に確認することができることを特徴とする情報伝達システム。
【請求項１３】
音声，画像等をネットワークを介した情報伝達システムであって、
伝達情報の登録から相手側へ送信するまでのタイムラグを設定することにより、登録後も相手に通知する前に送信情報の修正，削除を可能とすることができることを特徴とする情報伝達システム。
【請求項１４】
音声，画像等をネットワークを介した情報伝達システムであって、
アクセス状況を監視し、アクセス通知，アクセス確認要求を伝達および管理をすることができることを特徴とする情報伝達システム。
【発明の詳細な説明】
【０００１】
【発明が属する技術分野】本発明は、発信元のすべての伝達情報を送信先に配信することなく、一部の伝達情報を配信することにより、伝達情報の主旨を配信する手段とシステムである。
【０００２】
【従来技術】音声，画像等の送信手段として、メールによる配信や、サーバー上に保存し相手方がアクセスするものがある。
メールによる配信は、伝達情報をすべて配信するものである。
また、保存されたサーバー上にアクセスする場合、登録されたという通知は配信されるが、伝達情報の内容までは配信されないため、別途サーバーにアクセスし内容を確認する必要がある。
また、一連（全体）の伝達情報を把握するためには、すべてを参照する必要がある。
【０００３】
【特許文献１】特開２００２−８３０６１「近況情報報告支援方法およびシステム」
【０００４】
【特許文献２】特開２００２−３０４５０５「リアルタイム情報配信方法、リアルタイム情報配信システム、データベースサーバー、リアルタイム情報配信サーバー、移動体通信端末およびリアルタイム情報配信プログラム」
【０００５】
【発明が解決しようとする課題】メール送信する場合、各ユーザー毎にメールサーバーに保存できる情報のサイズは決まっており、そのサイズ自体も大容量ではない。音声や画像等の情報を何通か送信すると容量オーバーとなることがある。送信できたとしても他のメールが容量オーバーとため、メール送信側で送信エラーとなる可能性がある。また、メール受信側も、受信情報のサイズが大きいため受信完了するまでに時間を有することにより、通信コストの増大になる。
【０００６】サーバー上に保存した場合、保存されているサーバーにアクセスするまでは伝達情報の内容を確認することはできず、一連（全体）の伝達情報を把握するためにはすべてを参照する必要がある。
【０００７】本発明は、メールによる配信の場合、データサイズが大きくなるためメールサーバーの容量オーバー、メール受信に時間がかかるという問題を、配信データサイズを軽減することにより配信を容易にすることを課題とする。
【０００８】
【課題を解決するための手段】請求項１に記載の発明は、サーバーと端末とをネットワークを介して介して接続された情報伝達システムの情報伝達手段であって、前記サーバーは、解析手段によって受信情報をどのように処理を行うかを決定し、データ作成手段により受信した伝達情報を抽出し、データ保存手段により受信した伝達情報および抽出情報をデータベースに保存することにより、送信先へ提供する伝達情報を作成する情報伝達手段を提供する。
【０００９】請求項２に記載の発明は、請求項１に記載の情報伝達手段の抽出方法であって、送信者が指定したタイミング，期間で、受信した音声，画像等の情報を抽出する情報伝達手段を提供する。
【００１０】請求項３に記載の発明は、請求項１に記載の情報伝達手段の抽出方法であって、受信した音声，画像等の情報を一定の間隔で抽出する情報伝達手段を提供する。
【００１１】請求項４に記載の発明は、請求項１に記載の情報伝達手段の抽出方法であって、受信した動画情報は画像と音声情報により構成されている。無の状態から有の状態に変化時、音声レベルが閾値を超えたタイミング等、音声情報の変化タイミングを画像情報の抽出タイミングとして伝達情報を抽出する情報伝達手段を提供する。
【００１２】請求項５に記載の発明は、請求項１に記載の情報伝達手段の抽出方法であって、受信した画像の情報を一定の間隔で抽出し、前回抽出対象の画像と今回抽出対象となった画像とを比較し変価値が閾値以上となった場合、今回抽出した画像を抽出対象とする情報伝達手段を提供する。
【００１３】請求項６に記載の発明は、請求項５に記載の情報伝達手段の抽出方法であって、前記請求項５では比較対象となる画像すべてを判定するものであるが比較判定処理をあげるべく、比較判定エリアを複数箇所定め、そのエリア内のみを比較対照として画像抽出処理を行う情報伝達手段を提供する。
【００１４】請求項７に記載の発明は、請求項６に記載の情報伝達手段の抽出方法であって、前記請求項６では比較判定エリアを複数箇所定めた観測グループは１箇所のみであるが、複数の観測グループを提供し、先ず、第１観測グループによる判定を行い抽出対象となった場合、次の第２観測グループ，第３観測グループ・・・第ｎ観測グループーと順次比較判定処理を行い、指定された観測グループに達し抽出対象と判定となった場合、抽出対象として画像抽出処理を行う情報伝達手段を提供する。
【００１５】請求項８に記載の発明は、請求項１に記載の情報伝達手段の抽出方法であって、前記請求項４，５，６または７により抽出された伝達情報は短期間に複数の情報が対象となることがあるが、次対象となるまでの期間を定めることにより期間内に対象となった伝達情報は対象外とする、または、期間内は抽出処理を行わないようにする情報伝達手段を提供する。
【００１６】請求項９に記載の発明は、抽出情報をそのまま伝達情報とするのではなく、抽出した伝達情報の解像度，サイズ，品質等を下げて伝達情報の情報量を縮小する情報伝達手段を提供する。
【００１７】請求項１０に記載の発明は、音声，画像等をネットワークを介した情報伝達システムであって、請求項１，２，３，４，５，６，７，８または９の何れかの情報伝達手段もしくは複数の情報伝達手段を介して抽出し作成した伝達情報をメール等の伝達手段に添付することにより、メール受信者がメールを確認しただけで伝達情報の主旨を伝え、詳細はサーバーにアクセスすることにより確認する情報伝達システムを提供する。
【００１８】請求項１１に記載の発明は、請求項１０に記載の情報伝達システムにおいて、抽出した伝達情報のみではなく伝達情報のリンク情報も付記することにより、サーバー上のリンク情報にアクセスすることにより、送信元の伝達情報の関連付けられた指定ポイントよりアクセスできるようにし、即時に該当個所の情報を参照できる情報伝達システムを提供する。
【００１９】請求項１２に記載の発明は、送信先へ伝達する伝達情報を、配信前に送信元へ表示させ内容を確認できるようにすることにより、伝達情報が主旨に沿ったものであるかの確認、伝達情報の修正を可能にし、より確かに伝達情報を送信元に送信元へ伝達できる情報伝達システムを提供する。
【００２０】請求項１３に記載の発明は、伝送情報を登録してすぐに送信先へ伝送するのではなく、一定間隔のタイミングラグを設定することにより、登録後も相手に通知する前に送信情報の修正、削除を可能とすることができる情報伝達システムを提供する。
【００２１】請求項１４に記載の発明は、サーバーにアクセスされた状態を管理し、送信先がアクセスした場合その旨を送信元へ通知、送信元からのアクセスが一定期間過ぎてもない場合は催促通知とその旨を通知元に通知するなど、アクセスの状態を送信元に通知するだけではなく、送信先へも催促通知を通知するなど、アクセス管理をする情報伝達システムを提供する。
【００２２】
【発明の実施の形態】以下、本発明の実施の形態について図面を用いて説明する。
【００２３】図１は、本発明の一実施形態の構成を示すシステム構成図である。
【００２４】本システムは、送信側端末１４０、受信側端末１４１、サーバー１００、ネットワーク１３０とから構成される。
【００２５】送信者は、送信側端末１４０よりネットワーク１３０を介してサーバー１００にアクセスする。
【００２６】図２は、送信側の伝達情報送信時のフローチャートである。
【００２７】送信側端末１４０の画面より、送信先，タイトル，コメント等を入力、および、伝達したい音声や画像ファイルなどを選択する。デフォルトの抽出方法と異なる場合はどのように抽出するかを指定する。画面上からファイルを再生し、抽出ポイントを指定することも可能である。伝達内容を確認後、入力情報をサーバー１００へ送信する。
【００２８】サーバー１００は送信元より伝達された伝送情報を受信手段１０１で受信し、解析管理手段１１０により伝達情報は解析されてデータベース１２０に登録され、送信先への伝達情報の内容は送信手段１０２により送信側端末１４０に通知され、送信側端末１４０の画面に確認情報が表示される。
【００２９】送信側端末１４０より確認ＯＫの指示がサーバー１００に届くと、受信手段１０１より解析管理手段１１０に通知され、データベース１２０の該当データに送信可能状態に設定される。
【００３０】アクセス管理手段１１３は定期的に未送信データが存在しないかを管理しており未送信データが存在する場合、データベース１２０より該当情報を抽出し、送信手段１０２により受信側端末１４１へ伝達情報の案内を通知し、データベース１２０上の該当データは送信済みに設定する。
【００３１】図３は、受信側の伝達情報確認時のフローチャートである。
【００３２】受信側端末１４１はメール等をアクセスすることにより、送信側１４０より伝達情報が通知されていることを確認し、更に受信情報には音声や画像等より抽出された情報が付加されているので、それらの内容を確認することにより伝達情報の内容の主旨を容易にすばやく確認することができる。
【００３３】付加された抽出情報にはリンク情報が付加されているため、リンク情報にアクセスすることにより、サーバー１００は受信手段１０１より解析管理手段１１０にリンク情報を渡すことにより、データベース１２０より該当データを抽出し、送信手段１０２より受信側端末１４１に伝達情報が伝達される。それとともに、アクセス管理手段１１３が伝達情報にアクセスされたことを検知し、送信側端末１４０にアクセスされた旨の通知を送信手段１０２を介して通知する。
【００３４】この一連の流れにより、送信元は送信先がアクセスされたことがわかり、送信元はすべての情報を確認することなく、１通の通知により容易にすばやく全体の内容を把握することができる。
【００３５】次に、図４を参照して、伝達情報抽出の方法について説明する。
【００３６】図４は、伝達情報から抽出情報を抽出する処理のフローチャートである。
【００３７】受信した伝達情報は解析手段１１１により、どの抽出方法で、どのように抽出するかを判定され、データ作成手段１１４により解析された方法で抽出情報が作成され、データ保存手段１１５により伝達情報および抽出情報がデータベース１２０に登録される。
【００３８】送信データ作成手段１１２により、伝達情報および抽出情報から、送信先，送信元へ通知される伝達情報が作成される。
【００３９】次に、個々の伝達情報抽出方法について説明する。
【００４０】図５は、送信元が抽出タイミングを指定した場合のイメージ図で、送信側端末１４０が指定した抽出タイミングＰ１−１，Ｐ１−２，Ｐ１−３のポイントにて伝達情報を抽出し、抽出情報を作成するものである。
【００４１】図６は、一定間隔で伝達情報より抽出する場合のイメージ図で、予め設定された間隔または送信側端末１４０より指定された間隔ｔによる抽出タイミングｔ，２ｔ，３ｔのポイントにて伝達情報を抽出し、抽出情報を作成するものである。
【００４２】図７は、音声の変化に応じて伝達情報より抽出する場合のイメージ図で、予め設定された閾値Ｒ１を超えたポイントＰ３−１、また、さらに閾値Ｒ２を超えたポイントＰ３−２のように、閾値を超えたポイントを抽出タイミングとして伝達情報を抽出し、抽出情報を作成するものである。
【００４３】画像の変化による抽出する方法において、常に画像の変化を判定するのでなく、予め設定された間隔で画像を抽出し前回抽出対象となった画像との変化値を判定し、変価値が指定された閾値を超えたポイントを抽出タイミングとして伝達情報の抽出情報を作成する。
【００４４】前記の画像変化による抽出方法は画像全体を判定するものであるが、図８は、画像全体ではなく判定対象エリア（Ａ１−１，Ａ１−２，Ａ１−３，Ａ１−４，Ａ１−５）のみを対象とするイメージ図であり、判定対象エリアのみを判定することにより判定速度を向上させるものである。
【００４５】図９は、図8で示した判定対象エリアの観測グループを複数設けた時の異なる観測グループの判定対象エリア（Ａ２−１，Ａ２−２，Ａ２−３，Ａ２−４）を示したイメージ図である。
【００４６】これは変化タイミングの抽出精度を上げるためで、第１次，第２次・・・第ｎ次観測グループを定め、第１次観測グループの変化量が閾値以上になった場合、次の観測グループの変化量を測定し、この測定作業が指定された観測グループまで達した場合、抽出タイミングとして伝達情報の抽出情報を作成する。
【００４７】図１０は、抽出対象となる抽出タイミングであっても、抽出開始期間ｔｉを経過しないと抽出対象としないことを示した図である。
【００４８】Ｐ５−１，Ｐ５−２，Ｐ５−３，Ｐ５−４が本来抽出タイミングとなるものであるが、Ｐ５−２は抽出対象となったＰ５−１から０．５ｔｉしか経過しておらず、抽出開始期間ｔｉに達していないので抽出対象とはしない。
【００４９】Ｐ５−３は、２．０ｔｉ経過しているので抽出タイミングとなる。
【００５０】Ｐ５−４は、前回抽出タイミングとなったＰ５−３から０．８ｔｉしか経過しておらず、抽出開始期間間ｔｉに達していないので抽出対象とはしない。
【００５１】よって、抽出タイミングは、Ｐ５−１，Ｐ５−３とし、不用意に抽出対象が増えないように抑制される。
【００５２】図１１は、抽出情報の解像度，サイズ，品質等を下げて伝達情報のサイズを圧縮したイメージ図で、ただ単に抽出するのではなく情報を圧縮することにより伝達効率を上げるべく圧縮処理を施す。
【００５３】次に、図１２を参照して、伝達情報の送信や通知の方法について説明する。
【００５４】アクセス管理手段１１３は、データベース１２０より未送信情報のデータを抽出し、設定されたタイムラグに達した伝達情報に対し、送信データ作成手段１１２により送信データが作成され、送信先へ伝達情報の登録案内が通知する。
【００５５】また、送信が完了した旨の通知を送信元に通知する。
【００５６】アクセス管理手段１１３は、データベース１２０の該当データを送信完了状態に設定する。
【００５７】次にアクセス管理手段１１３は、データベース１２０より登録情報未参照のデータを抽出し、指定された催促通知期間に達した伝達情報に対し処理を行う。
【００５８】催促要求回数が指定の上限値に達したものは、送信元へ未参照通知を通知する。
【００５９】催促要求回数が指定の上限値に達していないものは、受信先へ催促要求を通知し、データベース１２０の該当データの催促回数をカウントアップする。
【００６０】また、送信するまでのタイムラグを設定することにより、リアルタイム送信ではできない、伝達情報の修正、取り消しも行うことができる。
【００６１】実施例では、サーバー上に直接アクセスして画面操作を行ったが、操作を専用プログラムにて行う場合は、メールを確認したがサーバーを確認しない場合サーバーにアクセスすることになっていたが、メールの内容を確認すると確認済み処理を自動的に行うことできるようになる。また、プログラムを起動するだけで、ログイン画面の操作を省くことができる。
【００６２】更に、分割された情報、あるいは単一情報を圧縮処理を施すことにより、送信情報を更に低減することができる。
【００６３】
【発明の効果】従来の情報配信では、伝達情報をすべてメールで送信されたものを受信して確認、またはサーバー上に保存しその旨をメール等で通知を確認後にサーバーにアクセスして確認するものである。どちらのものでも、本文中なのコメントにより内容を推測できるが、実際のところは添付あるいはアクセスした情報をはじめから確認しないと情報の内容（主旨）を確認することはできない。コメントと内容が食い違っていることがある。
【００６４】本発明では、音声、動画等の場合、膨大な伝達情報となり受信元にかなりの負荷をかけることになるが、抽出情報を送信することにより、伝達情報を低減することができ受信元の負荷を低減することができる。また、抽出情報を確認することにより、全部を確認することなく主旨を確認することでき、作業効率の向上をもたらすこともできる。
【００６５】サーバーにアクセスすることができればどこにいても情報を確認することができる。
【００６６】送信先がサーバー上のデータを確認していない場合催促の通知、確認時は送信元にその旨を通知することができるので、アクセス状況の確認も行うことができる効果がある。
【００６７】また、添付したサンプリング情報にサーバー上に保存されている場所のリンク先を付記することにより瞬時にその場所の内容を確認することができるようになる。
【００６８】従来の方法では、はじめから再生する必要があり、再度情報を確認しようとする場合、再生したい位置情報を覚えておく必要がある。その位置を記録（記憶）していることは稀であり、はじめから再生するか、この辺りの位置ではという検討して探す必要がある。
【００６９】しかし、本発明ではリンク情報がキーポイントで張られているため、瞬時に見つけ出すことができる。
【００７０】上記の手段、システムを利用することにより、伝達情報の登録、抽出方法などの指定は必要であるが、送受信側では専門的な知識、作業を要しないで、伝達情報の主旨を簡潔に判断することができる効果がある。
【図面の簡単な説明】
【図１】本発明の一実施形態の構成を示すシステム構成図である。
【図２】送信側より伝達情報送信時の処理を説明するフローチャートである。
【図３】受信側が伝達情報確認時の処理を説明するフローチャートである。
【図４】伝達情報より抽出情報を抽出時の処理を説明するフローチャートである。
【図５】送信元が抽出タイミングを指定した場合の抽出情報を示した図である。
【図６】送信元の情報を一定間隔で抽出した場合の抽出情報を示した図である。
【図７】音声の変化に応じて抽出した場合の抽出情報を示した図である。
【図８】画像の特定エリアのみを判定対象とする判定対処エリアを示したイメージ図である。
【図９】複数の観測グループによる判定時の異なる判定対処エリアを示したイメージ図である。
【図１０】複数の抽出タイミングが存在しても、抽出対象となってから抽出開始期間を経過しないと抽出対象とならないことを示した図である。
【図１１】抽出情報の解像度，サイズ，品質等を下げた時の送信情報のイメージ図である。
【図１２】アクセス管理手段が送信先，送信元へ、伝達情報および通知を送信する処理を説明するフローチャートである。
【符号の説明】
１００  サーバー
１０１  受信手段
１０２  送信手段
１１０  解析管理手段
１１１  解析手段
１１２  送信データ作成手段
１１３  アクセス管理手段
１１４  データ作成手段
１１５  データ保存手段
１１６  データ抽出手段
１２０  データベース
１３０  ネットワーク
１４０  送信側端末
１４１  受信側端末
【図１】
2004200976.tif 000003
【図２】
2004200976.tif 000004
【図３】
2004200976.tif 000005
【図４】
2004200976.tif 000006
【図５】
2004200976.tif 000007
【図６】
2004200976.tif 000008
【図７】
2004200976.tif 000009
【図８】
2004200976.tif 000010
【図９】
2004200976.tif 000011
【図１０】
2004200976.tif 000012
【図１１】
2004200976.tif 000013
【図１２】
2004200976.tif 000014